(57)【要約】【課題】  化学合成農薬を使用せずに斑点米カメムシ類を水田から防除して斑点米被害を防ぎ、等級の高い米を生産することができる米の生産方法を提供すること。【解決手段】  畦畔のイネ科雑草を稲の出穂期前後の所定期間において少なくとも２回雑草刈払いを行い、稲の収穫のときには、斑点玄米が多い第１領域と斑点米が少ない第２領域とに区分し、第１領域から収穫した玄米と第２領域から収穫した玄米とに分けて貯蔵し、第１領域から得られた玄米を色彩選別機によって色彩選別し、色彩選別工程によって色彩選別されたきれいな玄米と第２領域から得られた玄米とを混合し、このように混合した玄米を生産米として出荷する。雑草刈払いを少なくとも２回行うので、稲の出穂期前後の所定期間においてイネ科雑草が出穂しない状態に保つことができ、これによって斑点米カメムシ類の生息を少なくしてその被害を抑えることができる。【選択図】      図２
2005204607.tif 000002
【特許請求の範囲】
【請求項１】
畦畔に生えた雑草を刈払いする雑草刈払い工程と、出穂した稲を稲刈りして収穫する収穫工程と、前記収穫工程によって得られた玄米から斑点を有する斑点玄米を色彩選別機によって色彩選別する色彩選別工程と、を有する米の生産方法において、
前記雑草刈払い工程においては、畦畔の雑草刈払いが稲の出穂期の前後所定期間において少なくとも２回行われ、
前記収穫工程においては、畦畔に隣接する水田の外周部である第１領域と、この第１領域の内側である第２領域とに区分され、前記第１及び前記２領域における稲がそれぞれ別個に稲刈り収穫され、
前記色彩選別工程においては、前記第１領域において稲刈り収穫された玄米から前記色彩選別機によって前記斑点玄米が色彩選別され、前記色彩選別工程により前記斑点玄米が除かれた玄米と前記第２領域おける稲が稲刈り収穫された玄米とが混合されることを特徴とする米の生産方法。
【請求項２】
前記雑草刈払い工程においては、前記水田の稲の前記出穂期前２８〜１４日に第１回目の雑草刈払いが行われ、前記第１回目の雑草刈払いから１４〜２８日経過後に第２回目の雑草刈払いが行われることを特徴とする請求項１に記載の米の生産方法。
【請求項３】
前記雑草刈払い工程においては、前記第１回目の雑草刈払いが前記出穂期前２３〜１９日に行われ、前記第２回目の雑草刈払いが前記第１回目の雑草刈払いの後１９〜２３日に行われることを特徴とする請求項２に記載の米の生産方法。
【請求項４】
前記第１領域は、前記水田の外周部に帯状に設けられ、前記帯状領域の幅が２〜５ｍであることを特徴とする請求項１〜３のいずれかに記載の米の生産方法。
【請求項５】
前記色彩選別工程においては、前記第１領域において稲刈り収穫された玄米からカメムシ被害による前記斑点玄米が色彩選別されることを特徴とする請求項１〜４のいずれかに記載の米の生産方法。
【発明の詳細な説明】
【技術分野】
【０００１】
本発明は、斑点玄米の含有が少ない玄米を効率よく生産するための米の生産方法に関する。
【背景技術】
【０００２】
水田の畦畔にはカメムシが生息し易く、カメムシによる被害が発生すると、玄米に斑点が生じる（所謂、斑点米となる）。カメムシによる斑点は、カメムシ類が出穂した稲の籾に口針を突き刺し、吸汁加害することにより生じ、このような痕が褐色に変質して斑点模様となり、このような斑点を有する玄米が斑点玄米と呼ばれている。一般に、斑点玄米は着色粒に分類され、米の等級検査において米１０００粒中に着色粒が所定数以上（現検査では１粒以上）含まれていると、等級が１等米から２等米へ落ちてしまい、米の商品価値が下がり、その価格も下がる。
【０００３】
斑点玄米の原因となるカメムシ類としては、ホソハリカメムシ、クモヘリカメムシ、トゲシラホシカメムシ、アカスジカスミカメ及びアカヒゲホソミドリカスミカメなどが知られている（以下、これらを「斑点米カメムシ類」という。）。特に、近年の気温上昇の影響に伴い、斑点米カメムシ類の発生が増加しており、このため斑点米カメムシ類の被害が増大し、斑点米カメムシ類を防除するための技術確立が急がれている。
【０００４】
斑点米カメムシ類による斑点玄米の被害は、次のような要因で発生することが分かっている。まず、生態的主要因としては、斑点米カメムシ類の成虫及び幼虫が発生するピークが８月から９月であり、これと稲の出穂時期とが重複していることが挙げられる。また、環境的要因としては、畦畔にイネ科の雑草が生えることが挙げられる。斑点米カメムシ類は、同じイネ科でも水田の稲の穂よりも畦畔に生えたノビエ、エノコログサ類、メヒシバ類などの雑草の穂を好む傾向があり、最初から水田の稲の穂に付くのではなく、まず畦畔に生えたイネ科雑草の穂に付き、その後、水田の稲が出穂するとその稲穂に付くという行動をとる。そして、水田の稲の穂と畦畔のイネ科雑草の穂との間を往復しながら移動し、稲穂に付いたときにその汁を吸って被害を与え、その被害が斑点玄米となる。従って、畦畔に生えたイネ科雑草を放置しておくことが、斑点米カメムシ類がこれらのイネ科雑草を経由して水田の稲の穂に付くことを助長し、斑点玄米の被害を大きくすることになる。
【０００５】
このような斑点玄米被害を起こす斑点米カメムシ類を水田から防除するために、従来から水田に化学合成農薬を散布する方法が行われている。この化学合成農薬は、一般的に、斑点米カメムシ類の発生が予想される時期である稲の出穂期、乳熟期又は黄熟期にかけて散布器や航空機によって散布されているが、散布時期が稲の収穫期に近く、また人家の近くに散布するため、人間に対して安全な接触剤的なものが使用されている。このようなことから、カメムシ予防に用いられる化学合成農薬は防除する能力が弱く、１回の散布では長期間斑点米カメムシ類を防除することができず、斑点米カメムシ類を完全に防除するためには、化学合成農薬を２〜３回散布する必要がある。また、この化学合成農薬の散布は、散布時に作業者が薬剤を過度に浴びたり、水田以外の環境へ悪影響を与えたりするなどの問題がある。
【０００６】
そこで、このような問題を解決するために、化学合成農薬を水田の水面に施用する方法が提案されている（例えば、特許文献１参照）。この方法では、浸透移行性を有し、かつカメムシ類に吸汁阻害作用を示す化合物を含有する殺虫剤を水田の水面に施用するものである。
【０００７】
【特許文献１】特開２００２−１０４９０６号公報
【発明の開示】
【発明が解決しようとする課題】
【０００８】
カメムシ類による上述した被害原因から考察すると、斑点玄米被害が発生するのを回避するには、斑点米カメムシ類が最初に寄ってくる畦畔に生えたイネ科雑草を刈払うことが有効であると考えられる。しかしながら、無計画に雑草刈払いりするのは効率が悪く無駄な人手や費用がかかり、特に水田の面積が広くなれば畦畔の面積も広くなり、その人手や費用がさらにかさむという問題がある。
【０００９】
一方、最近の農作物に対する消費者の嗜好は、化学合成農薬を使わないで生産された有機農作物を好んで購入する傾向にある。従って、斑点米カメムシ類を水田から防除するのに化学合成農薬を頻繁に使用することは、消費者の嗜好に合わず、米自体の価値が下がる傾向にある。そのために、化学合成農薬の使用量が少量で環境や人体に優しい農作物が好まれ、消費者は化学合成農薬を使用しないで生産された玄米があればそれを購入するのが現実であり、化学合成農薬を使用しないで斑点米カメムシ類による被害の少ない米の生産方法の確立が強く望まれている。
【００１０】
本発明の目的は、化学合成農薬を使用せずに斑点米カメムシ類を水田から防除し、しかも斑点玄米被害を防いで等級の高い米を無駄なく生産することができる米の生産方法を提供することである。
【課題を解決するための手段】
【００１１】
本発明の請求項１に記載の米の生産方法は、畦畔に生えた雑草を刈払いする雑草刈払い工程と、出穂した稲を稲刈りして収穫する収穫工程と、前記収穫工程によって得られた玄米から斑点を有する斑点玄米を色彩選別機によって色彩選別する色彩選別工程と、を有する米の生産方法において、
前記雑草刈払い工程においては、畦畔の雑草刈払いが稲の出穂期の前後所定期間において少なくとも２回行われ、
前記収穫工程においては、畦畔に隣接する水田の外周部である第１領域と、この第１領域の内側である第２領域とに区分され、前記第１及び前記２領域における稲がそれぞれ別個に稲刈り収穫され、
前記色彩選別工程においては、前記第１領域において稲刈り収穫された玄米から前記色彩選別機によって前記斑点玄米が色彩選別され、前記色彩選別工程により前記斑点玄米が除かれた玄米と前記第２領域おける稲が稲刈り収穫された玄米とが混合されることを特徴とする。
【００１２】
また、本発明の請求項２に記載の米の生産方法では、前記雑草刈払い工程においては、前記水田の稲の前記出穂期前２８〜１４日に第１回目の雑草刈払いが行われ、前記第１回目の雑草刈払いから１４〜２８日経過後に第２回目の雑草刈払いが行われることを特徴とする。
【００１３】
また、本発明の請求項３に記載の米の生産方法では、前記雑草刈払い工程においては、前記第１回目の雑草刈払いが前記出穂期前２３〜１９日に行われ、前記第２回目の雑草刈払いが前記第１回目の雑草刈払いの後１９〜２３日に行われることを特徴とする。
【００１４】
また、本発明の請求項４に記載の米の生産方法では、前記第１領域は、前記水田の外周部に帯状に設けられ、前記帯状領域の幅が２〜５ｍであることを特徴とする。
また、本発明の請求項５に記載の米の生産方法では、前記色彩選別工程においては、前記第１領域において稲刈り収穫された玄米からカメムシ被害による前記斑点玄米が色彩選別されることを特徴とする。
【発明の効果】
【００１５】
本発明の請求項１に記載の米の生産方法によれば、畦畔の雑草を刈取る雑草刈払い工程と、稲刈りして収穫する収穫工程と、この収穫工程によって得られた玄米を色彩選別機によって色彩選別する色彩選別工程とを含んでいる。雑草刈払い工程では、稲の出穂期の前後所定期間、例えば６〜７週間において少なくとも２回の雑草刈払いが行われ、この刈払いによって、畦畔に生えたノビエ、エノコログサ類、メヒシバ類などのイネ科雑草が刈り取られる。この雑草刈払い工程によって、稲の出穂期前後の所定期間において、これらイネ科雑草が成長して出穂することを極力抑制し、これによって、斑点米カメムシ類の生息環境が悪くなり、このカメムシ類がイネ科雑草の穂に付き、畦畔と水田の稲の穂との間を往復移動することを防ぐことができる。
【００１６】
また、収穫工程においては、畦畔に隣接する水田の外周部である第１領域と、この第１領域の内側である第２領域とに区分され、第１領域に耕作された稲と第２領域に耕作された稲とが別個に稲刈り収穫され、第１及び第２領域の玄米が別個に貯蔵タンクに納められる。水田の外周部においては畦畔に隣接するために斑点米カメムシ類の被害を受けやすく、従って、斑点玄米が多く含まれ易い。一方、水田の第２領域では畦畔から離れているので斑点米カメムシ類の被害を受けることがほとんどなく、従って、斑点玄米がほとんど含まれることがない。このようなことから、第１及び第２領域から収穫された玄米が別個に貯蔵管理される。
【００１７】
そして、色彩選別工程において、斑点玄米を多く含んだ第１領域から収穫された玄米について色彩選別機による色彩選別が行われ、この色彩選別機により選別された無斑点玄米（斑点がついていない玄米）が第２領域から収穫された玄米と混合され、この混合された玄米が生産米として出荷される。
【００１８】
水田全体から収穫された玄米を区別することなく出荷すると、生産玄米中に含まれる斑点玄米が多く、玄米全体の品質が低下し、玄米の商品的価値が下がる。そこで、この玄米の品質を上げるために色彩選別機により色彩選別すると、色彩選別すべき玄米の量が非常に多くなり、多数台の色彩選別機が必要となるとともに、色彩選別のための時間も多く必要とし、そのためのコストが高くなるとともに、その色彩選別作業が非常に非効率的となる。これに対して、このように区別して収穫し、第１領域から収穫された玄米だけを色彩選別機により色彩選別し、この色彩選別した玄米と第２領域から収穫された玄米とを混合して出荷米とすることによって、出荷米自体の品質を保つことができる。また、色彩選別機による色彩選別すべき玄米の量が少なく、従って、斑点玄米を非常に効率良く色彩選別て除くことができ、その作業時間も短くすることができる。
【００１９】
また、本発明の請求項２に記載の米の生産方法によれば、雑草刈払い工程においては、稲の出穂期前２８〜１４日に第１回目の雑草刈払いが行われ、この第１回目の刈払いから１４〜２８日経過後に第２回目の雑草刈払いが行われるので、稲の出穂期の前後約５〜７週間にわたって畦畔にイネ科雑草の穂が少ない状態をつくることができる。従って、斑点米カメムシ類が畦畔のイネ科雑草に集まることを防ぐことができ、これによって、畦畔のイネ科雑草の穂と水田の稲の穂との間を斑点米カメムシ類が往復移動することを防止し、化学合成農薬を用いることなく、斑点米カメムシ類による被害を少なくすることができる。
【００２０】
また、本発明の請求項３に記載の米の生産方法によれば、第１回目の雑草刈払いは稲の出穂期前２３〜１９日の間に行われ、第２回目の雑草刈払いが第１回目の雑草刈払い後１９〜２３日経過後に行われるので、稲の出穂期前後約６週間の間にわたって畦畔にイネ科雑草の穂がない状態をつくることができ、斑点米カメムシ類による被害を最小限に抑えることができる。第１回目の雑草刈払いと第２回目の雑草刈払いとの間を１９〜２３日としたのは、畦畔のイネ科雑草を１回草刈りした後、再びこれらの雑草が成長して出穂するまでには上述した期間を要するからであり、このように雑草刈払いをすることによって、水田の稲の出穂期と畦畔のイネ科雑草の出穂期とが重複することがなくなり、斑点米カメムシ類により被害を最小限にすることができる。
【００２１】
また、本発明の請求項４に記載の米の生産方法によれば、第１領域は水田の外周部に帯状に設けられ、その幅が２〜５ｍに設定され、この第１領域の内側領域が第２領域となる。斑点米カメムシ類は畦畔のイネ科雑草の穂と水田の稲の穂との間を飛ぶので、水田の外周部の所定範囲の部分に斑点米カメムシ類が付いて斑点玄米が発生しやすいが、水田の内側部分まで飛ぶことは少なく、この領域（第２領域）では斑点玄米が発生することがほとんどない。この斑点米カメムシ類が飛び動く範囲が第１領域の幅に対応し、第１領域の幅が２〜５ｍに設定される。
【００２２】
また、本発明の請求項５に記載の米の生産方法によれば、第１領域において収穫された玄米か斑点米カメムシ類による被害を受けた斑点玄米が色彩選別され、このように色彩選別することによって、斑点米カメムシ類の被害を受けた玄米を除き、カメムシ類の被害のない玄米を出荷することができる。
【発明を実施するための最良の形態】
【００２３】
以下、図１及び図２を参照して、本発明を実施するための米の生産方法の最良の実施形態について説明する。図１は、一実施形態の米の生産方法が行われる水田の一区画を簡略的に示す平面図であり、図２は、本発明に従う米の生産方法の流れを示すフローチャートである。
【００２４】
図１において、図示の水田２は、その外周部である第１領域４と、この第１領域２の内側である第２領域６とに区分され、この水田２の周囲には、隣接する水田（図示せず）との境となる畦畔８が設けられている。第１領域４は畦畔８に隣接する水田２の外周部であり、第２領域６はこの第１領域４に囲まれた中央部分である。水田２には、田植えをしてその全域（第１及び第２領域４，６）に稲が植えられ、畦畔８にはノビエ、エノコログサ類、メヒシバ類などのイネ科雑草１６が自然に生える。
【００２５】
この水田２の稲作は、例えば、次のようにして行われる。５月頃に田植えが行われ、水田２に植えられた苗は成長して７月下旬頃から出穂し始め、８月から９月にかけてほとんどの稲が出穂期を迎える。また、畦畔８には、一年中雑草が生えるが、これらの雑草の種類は季節毎に入れ替わっている。この雑草は、大きく分けて春雑草と夏雑草に分けられ、斑点米カメムシ類が生息しやすいノビエ、エノコログサ類、メヒシバ類などのイネ科雑草は夏雑草で、これらイネ科雑草１６の出穂期は６月中旬から１０月であり、水田２の稲の出穂期と重複するようになる。
【００２６】
斑点玄米の被害を加える斑点米カメムシ類は、その成虫が５月頃から、幼虫が６月頃から発生し始め、成虫と幼虫とを合わせた斑点米カメムシ類の発生は８月から９月にかけてピークを迎え、この時期も稲の出穂期と重複するようになる。
【００２７】
水田２の稲の出穂期、イネ科雑草の出穂期及び斑点米カメムシ類の発生時期は上述したように重なるので、何も行わずに放置しておくと、８月から９月にかけてイネ科雑草及び稲が出穂し、このように出穂したときに斑点米カメムシ類が発生し、斑点米カメムシ類がイネ科雑草に集まってきてイネ科雑草の穂とイネの穂との間を飛んで往復移動し、稲の穂に付いて吸汁加害を加え、これが原因となって斑点玄米が発生するようになる。
【００２８】
この米の生産方法では、次のように行って斑点米カメムシ類の被害が少なくなるようにするとともに、次のようにして効率良く色彩選別して玄米の品質を高め、出荷米の品質維持を図っている。
【００２９】
次に、図１とともに図２を参照して、この実施形態における米の生産方法について説明する。５月頃に田植えを行って水田２に苗を植える（ステップＳ１）。このように植えた苗は７月末〜８月初め頃に出穂期を向かえるようになる（ステップＳ２）。
【００３０】
稲の出穂期に近くなると、畦畔８に斑点米カメムシ類が生息しやすいイネ科雑草が伸びて出穂するようになる。そこで、この稲の出穂期前２８〜１４日の間、好ましくは出穂前１９〜２３日の間、例えば出穂期前２１日前後において、畦畔８のイネ科雑草の第１回目の雑草刈払いを草刈り機などを用いて行う（第１雑草刈払い工程）（ステップＳ１１）。水田２に植えた稲の出穂期は、田植えの時期、稲の種類などによっても異なるので、田植えの時期、植えた稲の種類を考慮して、また稲の生長を観察して雑草刈払いを行うことが必要がある。例えば、コシヒカリやキヌヒカリなどの稲は、一般的に７月下旬に出穂し始め、日本晴の穂は８月中旬に出穂し始めるので、これらの稲が出穂し始める例えば２１日前後に畦畔８のイネ科雑草を刈払いする。尚、水田２の面積が広くなると、畦畔８も広くなるので、雑草刈払いは大勢で短期間で行う方がよい。
【００３１】
次に、第１回目の雑草刈払い後１４〜２８日後、好ましくは１９〜２３日後、例えば２１日前後の後に第２回目の雑草刈払いを第１回目と同様に行う（第２雑草刈払い工程）（ステップＳ１２）。これは、イネ科雑草が刈払い後約３週間程度で再び出穂するからであり、出穂すると斑点米カメムシ類が畦畔８に集まってきて生息し、水田２の稲の穂について斑点被害を発生するからである。従って、イネ科雑草が出穂する前に第２回目の雑草刈払いを行うようになる。斑点米カメムシ類のうちの例えばホソハリカメムシは、餌が無い状態では、その幼虫は５日後に餓死し、成虫は９〜１２日後に餓死する。従って、第１回目の雑草刈払い後イネ科雑草が出穂するまでの約３週間の間に、イネ科雑草に生息していた成虫は餌を求めて他の場所へ移動し、幼虫は飢餓と乾燥で大多数が死滅してしまう。また、このホソハリカメムシの卵は、１０〜１５日で孵化するので、雑草刈払い時に卵であったものも、第２回目の雑草刈払いまでの期間に孵化し、餓死してしまう。
【００３２】
このように一定期間の間隔をおいて雑草刈払いを２回行うことによって、稲の出穂期前後約４２日間（約６週間）にわたって、畦畔８にイネ科雑草の穂が無い状態を維持することができ、畦畔８に斑点米カメムシ類が集まってくるのを防ぐとともに、生息していた斑点米カメムシ類を排除することができ、これによって、水田２の稲の斑点被害をほとんどない状態まで少なくすることができる。
【００３３】
稲が上述したように出穂して１０月頃になると穂が実り、稲の刈取り収穫が行われる（収穫工程）（ステップＳ３、ステップＳ４）。稲の種類にもよるが、稲は７月下旬から出穂し始め、８月から９月にかけてほとんどの稲が出穂期を迎え、１０月頃に穂が実る。稲の刈取り収穫は、水田２を第１領域４と第２領域６に区分して行われる。第１領域４に植えられた稲は、第１領域４の稲として収穫されて例えば第１貯蔵タンク（図示せず）に貯蔵される（ステップＳ３）。一方、第２領域６に植えられた稲は、第２領域６の稲として収穫されて例えば第２貯蔵タンク（図示せず）に貯蔵され（ステップＳ４）、第１及び第２領域４，６の稲が区別されて管理される。
【００３４】
この実施形態では、水田２は長方形であり、水田２の四辺がそれぞれ畦畔８ａ，８ｂ，８ｃ，８ｄ（図１において、上辺、右辺、下辺及び左辺）に囲まれている。第１領域４は、水田２の外周部、つまり畦畔８に隣接する帯状部分であり、畦畔８ａ〜８ｄに対応して、それぞれ、畦畔８ａ〜８ｄに隣接する第１領域４ａ，４ｂ，４ｃ，４ｄが位置する。第１領域４ａ〜４ｄは水田２の外周部に所定の幅Ｗａ，Ｗｂ，Ｗｃ，Ｗｄを有し、所謂額縁状になっている。第２領域６は、第１領域４（４ａ〜４ｄ）の内側に位置している。
【００３５】
帯状の第１領域４ａ〜４ｄは、畦畔８ａ〜８ｄから０〜２ｍの範囲又は０〜５ｍの範囲、即ち幅Ｗａ〜Ｗｄは２〜５ｍ程度であり、斑点米カメムシ類による斑点被害の程度によって総合的に判断される。斑点米カメムシ類による斑点玄米被害の程度は、畦畔８の雑草の種類、水田２に隣接する他の水田の稲の出穂状態、畑に植えられた農作物の種類、状態など種々の要素によって変わる。
【００３６】
第１領域４（４ａ〜４ｄ）の幅Ｗａ〜Ｗｄは、例えば、第１領域４ａ〜４ｄに生息する斑点米カメムシ類の数量が同程度であり、第１領域４の稲の斑点玄米被害も同程度であれば、第１領域４ａ〜４ｄの幅Ｗａ〜Ｗｄは、畦畔８ａ〜８ｄから例えば８条（約２．６ｍ）とされ、この範囲が第１領域４とされ、この範囲の稲１０が第１領域４の稲として刈取り収穫される。
【００３７】
また、例えば、第１領域４ａ，４ｂ（図１において右上領域）よりも第１領域４ｃ，４ｄ（図１において左下領域）に生息する斑点米カメムシ類の数量が多く、第１領域４ａ，４ｂの稲よりも第１領域４ｃ，４ｄの稲の斑点被害が大きい場合には、第１領域４ａ，４ｂの幅Ｗａ，Ｗｂは畦畔８ａ，８ｂから例えば８条（約２．６ｍ）とされ、第１領域４ｃ，４ｄの幅Ｗｃ，Ｗｄは畦畔８ｃ，８ｄから例えば１２条（約３．７ｍ）とされる。このようにして、第１領域４ａ〜４ｄの幅Ｗａ〜Ｗｄを適宜変更することによって、第１領域４から収穫された玄米には斑点玄米が多く含まれるが、第２領域６から収穫された玄米には斑点玄米がほとんど含むことはない。
【００３８】
尚、第１領域４の幅を必要以上に大きくすると、斑点玄米をほとんど含まない玄米が第１領域４の玄米に含まれ、後述する色彩選別が非効率的となる。また、第１領域４の幅を必要以上に小さくすると、斑点玄米を多く含む玄米が第２領域６の玄米に含まれ、出荷する玄米全体の品質が悪くなる。
【００３９】
上述した収穫工程の後に、色彩選別機（図示せず）による色彩選別が行われる。色彩選別機自体はそれ自体周知のものが用いられ、玄米表面の色彩を見てきれいな玄米か斑点玄米かを選別し、第１領域４から収穫された玄米がこの色彩選別機により色彩選別される（色彩選別工程）（ステップＳ５）。斑点玄米を多く含む第１領域４の玄米が色彩選別工程にかけられ、色彩選別機は、主として斑点米カメムシ類が稲の籾を吸汁加害した痕にできる褐色の斑点模様の有無を選別するように調整され、表面に斑点が付いた斑点玄米とこれいな玄米とに選別される。そして、斑点玄米は斑点米として管理され（ステップＳ６）、出荷されることはない。一方、選別された斑点のない玄米は出荷用のきれいな玄米として管理され、このきれいな玄米と第２領域６から収穫された玄米（ほとんど斑点玄米が含まれていない）とが混合され（混合工程９（ステップＳ８））、この混合された玄米がきれいな生産米として出荷される（ステップＳ９）。このようにして生産された玄米は、化学合成農薬を用いてなくても斑点米カメムシ類による被害をほとんど受けることがなく、等級が高い１等米として販売することが可能となり、出荷玄米の品質を高く維持することができる。
【００４０】
［実施例及び比較例］
次に、実施例として雑草刈払いを２回行った場合の畦畔のイネ科雑草（メヒシバ類、ノビエ、エノコログサ類）の畦畔１ｍ２当たりの穂数、畦畔及び水田内の斑点米カメムシ類（アカスジカスミカメ、ホソハリカメムシ、クモヘリカメムシ及びその他カメムシ類）の総個体数及び水田の稲への斑点玄米の混入率と、雑草刈払いを１回しか行わなかった場合のものとを調べた。耕作した稲の種類はコシヒカリであった。
【００４１】
イネ科雑草の出穂状況について、畦畔のイネ科雑草の雑草刈払いを２回行った場合について調べた。７月９日に第１回目の雑草刈払いを行った。この時期に刈払いを行うと、７月２１日を過ぎた辺りでイネ科雑草の穂数が増え始め、７月３１日ではイネ科雑草の総穂数が畦畔１ｍ２当たり約２０本確認された。尚、稲の出穂は、７月２４日であった。第２回目の雑草刈払いは７月３１日に行った。この第２回目の雑草刈払い後、８月１５日頃まではイネ科雑草の穂数は確認されず、８月２０日を過ぎた辺りから再び穂数が確認された。一方、草刈りを１回だけ行った場合、７月９日に雑草刈払いを行い、その後雑草刈払いを行わないと、７月３１日から８月１０日辺りにかけてイネ科雑草の総穂数が急激に増えた。イネ科雑草の総穂数は、８月１０日で１ｍ２当たり約１５０本、８月２０日では約２２０本確認された。イネ科雑草の総穂数のうち約３分の２は、斑点米カメムシ類が好むメヒシバであった。この結果から、雑草刈払いを少なくとも２回行うことで、稲の出穂期前後所定期間（約６カ月）において畦畔にイネ科雑草の穂が無い状態を維持することができることが確認できた。
【００４２】
また、畦畔及び水田内の斑点米カメムシ類の総個体数について、雑草刈払いを２回行った場合について調べた。第１回目の雑草刈払いを７月９日に、第２回目の雑草刈払いを７月３１日に行った。斑点米カメムシ類の総個体数は、すくい取り法（５０回振り）を用いて行った。その結果、畦畔及び水田内（畦畔から２〜８条の範囲）のいずれにおいても、第１回目の雑草刈払い後８月１５日頃まで斑点米カメムシ類はほとんど確認されなかった。
【００４３】
一方、雑草刈払いが１回だけの場合、同様に７月９日に草刈りを行った。畦畔では、７月３１日頃までは斑点米カメムシ類は確認されなかったが、それ以降増え始め、８月１５日では約１４０頭が確認された。水田内（畦畔から２〜８条の範囲）では、畦畔と同じく７月３１日を過ぎて増え始め、８月１５日では１９頭が確認された。この結果から、草刈りを２回行うことで、畦畔から斑点米カメムシ類をほとんど排除することができることが確認された。
【００４４】
次に、畦畔のイネ科雑草を２回雑草刈払いした（上述した通りに２回刈払いを行った）畦畔に隣接する水田（以下、「２回雑草刈払い区」という。）の稲と、１回雑草刈払いした（上述した通りに１回刈払いを行った）畦畔に隣接する水田（以下、「１回雑草刈払い区」という。）の稲への斑点玄米混入率について調べた。斑点玄米混入率は、畦畔から水田中央にかけて、第１〜第４条目（畦畔から約１．４ｍの幅）の第１区分、第５〜第８条目（畦畔から約１．４ｍ〜約２．６ｍの幅）の第２区分、第９〜第１２条目（畦畔から約２．６ｍ〜約３．７ｍの幅）の第３区分及び第１２条目より水田中央部分の第４区分に分けて、それぞれの区分に斑点玄米が混入している個数から混入率を計算した。２回雑草刈払い区の稲への斑点米混入率は、第１区分が約０．１０％、第２区分が約０．０７％、第３区分が約０．０８％、第４区分が約０．０３％であった。一方、１回雑草刈払い区の稲への斑点米混入率は、第１区分が約０．３２％、第２区分が約０．４５％、第３区分が約０．５０％、第４区分が約０．１２％であった。これらの結果から、２回雑草刈払い区では、１回雑草刈払い区よりも斑点米混入率を１／３〜１／５程度に抑えることができることが分かり、２回雑草刈払いが、斑点米被害を抑制するのに効果的であることが確認できた。
【００４５】
また、米の等級基準において、１等米は、着色粒混入率が０．１％未満であることから、１等米を得るためには、１回雑草刈払い区では、全ての玄米を色彩選別工程にかける必要があるが、２回雑草刈払い区では、第１区分から採れた玄米だけを第１領域から収穫された玄米とし、第２〜第４区分から採れた玄米を第２領域から収穫された玄米として別個に貯蔵管理し、この第１領域からの収穫玄米のみを色彩選別工程にかけて色彩選別すればよく、この色彩選別されたきれいな玄米と第２領域から収穫された玄米とを混合することによって、精算された米全体がきれいな玄米になることが分かった。従って、雑草刈払いを２回行い、第１領域の玄米のみを色彩選別することによって、玄米の無駄をなくすとともに、非常に効率のよい色彩選別でもってきれいな出荷用１等米を得ることができる。
【００４６】
以上、本発明に従う米の生産方法の実施形態について説明したが、本発明はかかる実施形態に限定されるものではなく、本発明の範囲を逸脱することなく種々の変形乃至修正が可能である。
【００４７】
例えば、上述した実施形態では、稲の出穂期前後に雑草刈払いを２回行っているが、これに限定されず、この出穂期前後に３回以上行うようにしてもよく、畦畔に雑草が常に無い状態を維持することが斑点米カメムシ類による斑点被害を防ぐのに効果的であるからである。
【産業上の利用可能性】
【００４８】
斑点米が少ない米を生産する方法であって、畦畔に生えた雑草をイネの出穂期前後の所定期間において少なくとも２回雑草刈払いを行い、斑点玄米を多く含む第１領域から収穫された玄米と斑点玄米をほとんど含まない第２領域から収穫された玄米と区分して貯蔵し、第１領域から得られた玄米のみを色彩選別し、この色彩選別したきれいな玄米と第２領域から得られた玄米とを混合して生産米として出荷するものである。畦畔に生えた雑草を稲の出穂期前後所定期間において雑草刈払いを２回行うので、斑点米カメムシ類の生息を抑え、化学合成農薬を使用しないで斑点米被害を少なくすることができ、人、環境に優しい米を生産することができる。また、斑点玄米を多く含む第１領域と斑点玄米をほとんど含まない第２領域とに分けて収穫し、第１領域から収穫された玄米のみを色彩選別工程にかけるので、色彩選別する玄米の量を減らすことができ、効率的に色彩選別することができる。更に、色彩選別したきれいな玄米（第１領域のきれいな玄米）を第２領域の玄米に混合して出荷するので、第１領域の玄米も無駄なく等級が高い生産米として出荷することができ、米生産者の所得増大にもつながる。
【図面の簡単な説明】
【００４９】
【図１】一実施形態の米の生産方法が行われる水田を簡略的に示す平面図である。
【図２】図１の米の生産方法の流れを示すフローチャートである。
【符号の説明】
【００５０】
２  水田
４  第１領域
６  第２領域
８  畦畔
【図１】
2005204607.tif 000003
【図２】
2005204607.tif 000004